(57)【要約】  超広帯域ネットワークに使用するアンテナ配置は、複数の有効な単極子を備えている。各単極子は、グラウンドプレーンに対しほぼ直交して配向し、通信軸に沿って列を成して配置されている。各単極子は、無線信号を放射するための有効部分と、有効部分の長さを選択的に変えるための切替手段を有している。制御する手段が、複数の切替手段を制御するために設けられており、第１形態において、単極子の有効部分の長さが列の最初の端部から列の反対側の端部に向かって増加することにより、アンテナ配置から無線信号が、列の反対側の端部から列の最初の端部に向かって通信軸に沿ってほぼ第１方向に放射される。第２形態においては、単極子の有効部分の長さが列の反対側の端部から列の最初の端部に向かって増加することにより、アンテナ配置から無線信号が、ほぼ通信軸に沿って第１方向とは反対の方向に放射される。【選択図】図３
2009543395.tif 000002
【特許請求の範囲】
【請求項１】
超広帯域ネットワークで使用されるアンテナ配置であって、
このアンテナ配置は、
それぞれが、無線信号を放射するための有効部分と、素子の有効部分の長さを選択的に変更するための切替手段とを有する、複数の素子と、
アンテナ配置全体における有効部分の長さが変動するように、複数の切替手段を制御する手段とを備え、
有効部分の長さの変動により、放射される無線信号がアンテナ配置から特定の方向に放射される、アンテナ配置。
【請求項２】
それぞれの素子が単極子である、請求項１に記載のアンテナ配置。
【請求項３】
各単極子がグラウンドプレーンにほぼ直交して配向されている、請求項２に記載のアンテナ配置。
【請求項４】
素子が、通信軸に沿って列を成して配置されている、請求項１〜３のいずれか１項に記載のアンテナ配置。
【請求項５】
複数の切替手段を制御する手段が、切替手段を、素子の有効部分の長さが列の最初の端部から列の反対側の端部に向かって増加する第１形態で制御するように構成され、これにより、無線信号がアンテナ配置から、列の反対側の端部から列の最初の端部に向かって通信軸に沿ってほぼ第１方向に放射され、そして、素子の有効部分の長さが列の反対側の端部から列の最初の端部に向かって増加する第２形態で制御するように構成されていることにより、無線信号がアンテナ配置から、ほぼ通信軸に沿って第１方向とは反対の方向に放射される、請求項４に記載のアンテナ配置。
【請求項６】
更に、励起信号を各々の複数の素子に供給する手段を備えており、これにより切替手段が第１形態にあるときに、励起信号が、列の最初の端部の素子から列の反対側の端部の素子に向かって、連続的に供給され、切替手段が第２形態にあるときに、励起信号が、列の反対側の端部の素子から列の最初の端部の素子に向かって、連続的に供給される、請求項６に記載のアンテナ配置。
【請求項７】
第１又は第２形態のいずれかにおいて、素子の有効部分の長さが、列の一方の端部から列の他方の端部に向かってほぼ直線的に増加している、請求項５又は６に記載のアンテナ配置。
【請求項８】
請求項１〜７のいずれか１項に記載のアンテナ配置を備える、超広帯域ネットワークに使用される通信装置。
【請求項９】
添付の図３及び４を参照し、実質的に上述したアンテナ配置。
【発明の詳細な説明】
【技術分野】
【０００１】
本発明は、通信システム用のアンテナ配置に関するものであり、具体的には、超広帯域（ＵＷＢ）無線通信システムに使用されるアンテナ配置に関するものである。
【背景技術】
【０００２】
超広帯域とは、３．１〜１０．６ＧＨｚの非常に広い周波数域にわたって、デジタルデータを送信する無線技術である。この技術では通常−４１ｄＢｍ／ＭＨｚ未満の超低度の送信電力を使用するため、この技術が既存のＷｉ−Ｆｉ、ＧＳＭ及びブルートゥース等のほかの送信周波数に事実上隠蔽される可能性がある。これは、超広帯域が他の無線周波数技術と共存できることを意味する。しかしながら、これには通常５〜２０メートルの距離の通信に限定されるという制限がある。
【０００３】
ＵＷＢには２つの方法がある：ＵＷＢ特性を持つパルス波形から信号を作り出す時間領域法と、従来のＦＦＴに基づいた直交周波数分割多重（ＯＦＤＭ）を多重（周波数）帯域に使用してＭＢ−ＯＦＤＭを生じさせる周波数領域変調法である。いずれのＵＷＢ手法も、周波数スペクトルにおいて非常に広い帯域幅をカバーするスペクトル要素を発生させるため、超広帯域と呼ばれ、これにより、帯域幅は通常少なくとも５００ＭＨｚである中心周波数の２０％以上を占める。
【０００４】
超広帯域のこれらの特性は、非常に広い帯域幅と相まって、通信機器が互いに２０ｍ以内にある家庭又はオフィス環境において、ＵＷＢが、高速無線通信を提供するための理想的な技術であることを意味している。
【０００５】
図１に、超広帯域通信用の多重帯域直交周波数分割多重（ＭＢ−ＯＦＤＭ）システムにおける周波数帯域の配置を示す。ＭＢ−ＯＦＤＭシステムは、各々５２８ＭＨｚである１４のサブ帯域を含み、アクセス方式としてサブ帯域間の３１２ｎｓごとの周波数ホッピングを利用する。各サブ帯域内では、データの通信にＯＦＤＭ及びＱＰＳＫ又はＣＤＭコーディングが利用されている。５ＧＨｚ前後のサブ帯域、現在のところ５．１〜５．８ＧＨｚのサブ帯域は、例えば８０２．１１ａ  ＷＬＡＮシステム、警備機関通信システム、又は航空業界等の既存の狭帯域システムとの干渉を避けるため、空白となっている。
【０００６】
１４のサブ帯域は５つの帯域群に分かれており、この内４つは３つの５２８ＭＨｚサブ帯域を有し、もう１つの帯域群は２つの５２８ＭＨｚサブ帯域を有している。図１に示すように、第１帯域群はサブ帯域１、サブ帯域２及びサブ帯域３を含む。例示のＵＷＢシステムは、１つの帯域群のサブ帯域間の周波数ホッピングを利用するため、第１データ記号は１つの帯域群の第１周波数サブ帯域における第１持続時間間隔３１２．５ｎｓで送信され、第２データ記号は１つの帯域群の第２周波数サブ帯域における第２持続時間間隔３１２．５ｎｓで送信され、第３データ記号は１つの帯域群の第３周波数サブ帯域における第３持続時間間隔３１２．５ｎｓで送信される。したがって、各時間間隔において、データ記号は例えば３９６０ＭＨｚを中心とする５２８ＭＨｚベースバンド信号を有するサブ帯域２等の、５２８ＭＨｚの帯域幅を有するそれぞれのサブ帯域において送信される。
【０００７】
超広帯域の技術特性は、データ通信の分野に適用するために配備されることを意味する。例えば、下記の環境においてケーブルの代わりとなるものに注目した広い範囲にわたる用途が存在する：
−  パソコンと、周辺機器、すなわちハードディスクドライブ、ＣＤライタ、プリンター、スキャナー等の外部装置との間の通信
−  テレビ、無線手段、無線スピーカー等により接続される機器などの家庭用娯楽機器
−  例えば携帯電話とＰＤＡ、デジタルカメラとＭＰ３プレーヤーなどの手持ちの機器とパソコンとの間の通信
【０００８】
超広帯域システムにおいて使用されるアンテナ配置は通常、無指向性であり、これは無線信号が稼働している放射素子、又は素子群から全方向に放射されることを意味する。しかしながら、特定の一方向又は複数の方向に無線信号を放射するアンテナ配置を使用することもまた好ましい。
【０００９】
対数周期アンテナ等の固定ビーム方式の指向性アンテナは公知であり、例示のアンテナ配置を図２に示す。対数周期アンテナ２は、グラウンドプレーン４と、入力信号線８に接続された複数の素子６ａ、６ｂ、６ｃ、６ｄ、６ｅ及び６ｆを備えている。素子６ａ〜６ｆは異なる長さを有し、グラウンドプレーン４に長さの順に配置され、一方の端には最短の素子６ａが、他方の端には最長の素子６ｆが配置されている。各素子６ａ〜６ｆの間の距離は、素子６ａが配置されたアンテナ２の端部から素子６ｆが配置されたアンテナ２の端部まで対数的に増加する。入力信号線８は、素子６ａ〜６ｆに連続的に信号が供給されるように、最短素子６ａに向けて位置している。前の素子６ａ〜６ｆと比較して、入力信号の後続の素子６ａ〜６ｆへ進まなければならない長さが増加することにより、素子６ａ〜６ｆから放射される信号は互いにわずかに位相がずれる。この素子６ａ〜６ｆの配置により、アンテナ２からの信号は矢印１０で示す方向に放射される。
【００１０】
放射された無線信号を特定の一方向あるいは複数の方向に方向付けることによって、他の近接する通信リンクとの干渉を低減し、通信システムの容量を（可能な通信リンクの数の点で）上げることができる。
【発明の概要】
【発明が解決しようとする課題】
【００１１】
しかしながら、この対数周期アンテナがグラウンドプレーンに対して特定の方向に無線信号を放射するとはいえ、この方向は固定され、調節することはできない。
【００１２】
したがって、本発明の目的は、信号の放射される方向をある程度コントロールできる、超広帯域システムにおいて使用するための指向性アンテナ配置を提供することである。
【課題を解決するための手段】
【００１３】
したがって、超広帯域ネットワークにおいて使用されるアンテナ配置が提供され、このアンテナ配置は、複数の素子を備えており、各素子は、無線信号を放射する有効部分と、素子の稼働部分の長さを選択的に変更する切替手段と、アンテナ配置全体において有効部分の長さが変動するように複数の切替手段を制御する手段とを備え、有効部分の長さの変動により、放射される無線信号がアンテナ配置から特定の方向に放射される。
【００１４】
好ましくは、各素子が単極子である。
【００１５】
好ましくは、各単極子がグラウンドプレーンにほぼ直交して配向されている。
【００１６】
好ましくは、素子が通信軸に沿って、一列に配置されている。
【００１７】
好ましい実施形態では、複数の切替手段を制御する手段が、切替手段を、素子の有効部分の長さが列の最初の端部から列の反対側の端部に向かって増加する第１形態で制御するように構成され、これにより、アンテナ配置から無線信号が、列の反対側の端部から列の最初の端部に向かって通信軸に沿ってほぼ第１方向に放射され、そして、素子の有効部分の長さが列の反対側の端部から列の最初の端部に向かって増加している第２形態で制御するように構成されていることにより、アンテナ配置から無線信号が、ほぼ通信軸に沿って第１方向とは反対の方向に放射される。
【００１８】
更なる好ましい実施形態では、アンテナ配置は更に、励起信号を各々の複数の素子に供給する手段を備えており、これにより切替手段が第１形態にあるときに、励起信号が、列の最初の端部の素子から列の反対側の端部の素子に向かって、連続的に供給され、切替手段が第２形態にあるときに、励起信号が、列の反対側の端部の素子から列の最初の端部の素子に向かって、連続的に供給される。
【００１９】
好ましくは、第１又は第２形態のいずれかにおいて、素子の有効部分の長さが、列の一方の端部から列の他方の端部に向かってほぼ直線的に増加している。
【００２０】
本発明の第２態様によると、超広帯域ネットワークに使用される通信装置が提供され、この装置は上述したアンテナ配置を備えている。
本発明をより良く理解するため、また本発明をどのような方法で実現させることができるのかを更に明確に示すために、ここで下記の図面を一例として参照する。
【図面の簡単な説明】
【００２１】
【図１】多重バンドＯＦＤＭ規格（ＭＢＯＡ）によって認可されたＭＢ−ＯＦＤＭシステムの周波数スペクトルを示す図である。
【図２】従来の指向性アンテナ配置を示す図である。
【図３】本発明によるアンテナ配置を示す図である。
【図４】本発明による別のアンテナ配置を示す図である。
【発明を実施するための形態】
【００２２】
ここで更に、本発明を超広帯域ネットワークでの使用に関連して説明するが、当然ながら、本発明は他のタイプのネットワークに使用することも可能である。
【００２３】
図３に、グラウンドプレーン２２と、個別に２４ａ、２４ｂ、２４ｃ、２４ｄ、２４ｅ、及び２４ｆで示す複数の放射素子２４を備えたアンテナ配置２０を示す。図３のアンテナ配置では６つの素子を示すが、当然ながら、本発明にしたがって一以上の任意の数の素子を使用することが可能である。
【００２４】
この実施形態では、素子２４は、グラウンドプレーン２２に対しほぼ直交して配向されている単極子の形状を有する。素子２４はグラウンドプレーン２２に沿って列又は線上に配置されており、この列又は線は通信軸として示されている。本発明の別の実施形態においては、素子は整列した形で配置されていてもよい。好ましい実施形態においては、素子２４は通信軸に沿って均等に散らばっている。言い換えると、各素子２４の素子同士の間隔は等しい。別の実施形態では、素子２４は通信軸に沿って均等に散らばっていないが、素子２４同士の分離距離は、アンテナ配置２０の中心周囲で対称的である。つまり、この図示された実施形態では、素子２４ａと２４ｂとの間の距離は、素子２４ｅと２４ｆとの間の距離と等しい。同様に、素子２４ｂと２４ｃとの間の距離は、素子２４ｄと２４ｅとの間の距離に等しい。
【００２５】
各素子２４は、素子２４が放射する信号を供給する入力信号線２６に接続されている。
【００２６】
各素子２４は、素子２４の有効放射部分の有効長を変更するために、素子の長さに沿って位置する一以上のスイッチ２８を含む。スイッチ２８により各素子２４は効率的に区分化され、これらの区分素子を入力信号線２６の信号から選択的に接続、又は分離させる。スイッチ２８は、半導体スイッチ、又は可変反応装置、又は当業者に公知の他の適切なスイッチを利用して実現可能である。
【００２７】
図示した実施形態では、各素子２４はそれぞれのスイッチ２８（２８ａ、２８ｂ、２８ｃ、２８ｄ、２８ｅ及び２８ｆ）を含み、このスイッチ２８により各素子２４が２つの区分、下部３０（３０ａ、３０ｂ、３０ｃ、３０ｄ、３０ｅ及び３０ｆ）と上部３２（３２ａ、３２ｂ、３２ｃ、３２ｄ、３２ｅ及び３２ｆ）に分離される。スイッチ２８ａ、２８ｂ、２８ｃ、２８ｄ、２８ｅ及び２８ｆが開放されているときは、素子２４の有効部分の長さ（つまり、入力信号線２６と電気的に接触している素子２４の区分の長さ）は、それぞれ下部３０ａ、３０ｂ、３０ｃ、３０ｄ、３０ｅ及び３０ｆの長さと一致する。スイッチ２８ａ、２８ｂ、２８ｃ、２８ｄ、２８ｅ及び２８ｆが閉じているときは、各素子２４の有効部分の長さは増加し、それぞれの上部と下部３０ａと３２ａ、３０ｂと３２ｂ、３０ｃと３２ｃ、３０ｄと３２ｄ、３０ｅと３２ｅ、３０ｆと３２ｆを結合した長さと一致する。
【００２８】
本発明の別の実施形態では、各素子２４は、素子の長さに沿って複数のスイッチ２８を含み、これにより有効部分の長さにおける複数の可能な変動量が増加する。
【００２９】
スイッチ２８の操作を制御するために、制御手段が、アンテナ配置２０の操作を制御するために設けられる。この制御手段は図３には図示しないが、各スイッチ２８に接続されるプロセッサの形態であってよく、それぞれのスイッチ２８を「開放」状態から「閉鎖」状態、または逆に「閉鎖」状態から「開放」状態に変えるための信号を出力する。
【００３０】
制御手段は、アンテナ配置全体の有効部分の長さが変動する複数の構造間でスイッチを操作し、これにより個々の素子２４によって放射される無線信号の方向を制御することができる。
【００３１】
図３から、素子２４の上部３２及び下部３０の長さが互いに異なり、スイッチ２８もまた素子２４に沿って異なる位置にあることが分かる。これは、各素子２４によって放射される無線信号が光線の形になり、特定の方向に放射されることが可能になるためである。
【００３２】
例えば、図３から、スイッチ２８ａ、２８ｂ及び２８ｃが開放され、スイッチ２８ｄ、２８ｅ及び２８ｆが閉鎖されるとき、素子２４ａ、２４ｂ、２４ｃ、２４ｄ、２４ｅ、及び２４ｆの有効部分の長さでできたアンテナ配置２０の形状は、素子６ａ、６ｂ、６ｃ、６ｄ、６ｅ及び６ｆの長さでできた図２の対数周期アンテナ配置２の形状と一致することが分かる。よって、スイッチ２８がこの形態のときには、素子２４からの無線信号は、矢印３４で表示される方向にほぼ送信軸に沿って放射される。
【００３３】
アンテナ配置２０が、スイッチ２８ａ、２８ｂ及び２８ｃが閉鎖され、スイッチ２８ｄ、２８ｅ及び２８ｆが開放されている第２形態に変更されると、素子２４ａ、２４ｂ、２４ｃ、２４ｄ、２４ｅ、及び２４ｆの有効部分の長さでできたアンテナ配置２０の形状は、素子６ａ、６ｂ、６ｃ、６ｄ、６ｅ及び６ｆの長さでできた図２の対数周期アンテナ配置２の反対の形状と一致する。したがって、スイッチ２８がこの形態にあるとき、素子２４からの無線信号は、矢印３４で表示されるのとは反対方向である、矢印３６で表示される方向にほぼ送信軸に沿って放射される。
【００３４】
したがって、この図示した実施形態から分かるように、アンテナ配置２０全体の有効部分の長さにおける変動は常に、線上の素子２４の有効部分の長さのほぼ直線的な増加に一致する。しかし、当然ながら、所望のビームの性質によっては、他の形態もまた可能である。
【００３５】
この図示した実施形態では、素子２４は入力信号線２６に直列に接続されており、これは線上の一素子２４が線上の次の素子２４より前に入力信号を受け取ることを意味する。
【００３６】
アンテナ配置２０の素子２４が放射する信号が互いに同相になるためには、アンテナ配置２０が２つの形態の間で切り替わるときに、素子２４が入力信号を受け取る順番を変更する必要がある。したがって、第１及び第２スイッチ３８及び４０が、入力信号線２６に設けられている。
【００３７】
上述したように、スイッチ２８ａ、２８ｂ及び２８ｃが開放され、スイッチ２８ｄ、２８ｅ及び２８ｆが閉鎖されている第１形態においては、無線信号は矢印３４で表示されている方向に放射される。この形態では、スイッチ３８が閉鎖され、スイッチ４０が開放されていることによって、入力信号が素子２４に、素子２４ａから２４ｆまで連続して送られる。よって、個々の素子２４によって矢印３４で表示した方向に放射された信号は互いに同相となる。
【００３８】
スイッチ２８ａ、２８ｂ及び２８ｃが閉鎖され、スイッチ２８ｄ、２８ｅ及び２８ｆが開放されている第２形態においては、無線信号は矢印３６で表示されている方向に放射される。この形態では、スイッチ３８が開放され、スイッチ４０が閉鎖されていることによって、入力信号が素子２４に、素子２４ｆから２４ａまで連続して送られる。よって、個々の素子２４によって矢印３６で表示した方向に放射された信号は互いに同相となる。
【００３９】
図４に、本発明による別のアンテナ配置２０を示す。この図では、アンテナ配置２０は図３を参照して説明したのと同じであり、図における同じ機能を持つものには同様の参照番号が使用されている。しかしながら、このアンテナ配置２０において、各放射素子２４ａ〜ｆの長さは同じである。また、各素子２４には、素子２４の放射部分の有効長を変えるために、その長さに沿って２つのスイッチ２８、２９が設置されている。スイッチ２８、２９は各素子２４を３つの区分に効果的に分割し、この場合も、入力信号線２６上でこれらの区分を信号に選択的に接続あるいは分離させる機能を持つ。
【００４０】
図示したように、各素子２４はそれぞれ下部スイッチ２８（２８ａ、２８ｂ、２８ｃ、２８ｄ、２８ｅ及び２８ｆ）と上部スイッチ２９（２９ａ、２９ｂ、２９ｃ、２９ｄ、２９ｅ及び２９ｆ）を含む。よって、各素子は下部３０（３０ａ、３０ｂ、３０ｃ、３０ｄ、３０ｅ及び３０ｆ）、中間部３２（３２ａ、３２ｂ、３２ｃ、３２ｄ、３２ｅ及び３２ｆ）及び上部３３（３３ａ、３３ｂ、３３ｃ、３３ｄ、３３ｅ及び３３ｆ）に分割される。
【００４１】
スイッチ２８ａ、２８ｂ、２８ｃ、２８ｄ、２８ｅ及び２８ｆが開放されると、素子２４の有効部分の長さ（すなわち、入力信号線２６と電気的に接触している素子２４の区分の長さ）はそれぞれ、下部３０ａ、３０ｂ、３０ｃ、３０ｄ、３０ｅ及び３０ｆの長さと一致する。スイッチ２８ａ、２８ｂ、２８ｃ、２８ｄ、２８ｅ及び２８ｆが閉鎖されると、各素子２４の有効部分の長さが増加し、それぞれの中間部及び下部３０ａと３２ａ、３０ｂと３２ｂ、３０ｃと３２ｃ、３０ｄと３２ｄ、３０ｅと３２ｅ、３０ｆと３２ｆの合計長さと一致する。
【００４２】
図４を見て分かるように、スイッチ２８ａ、２８ｂ、２８ｃ、２９ｄ、２９ｅ及び２９ｆが開放され、スイッチ２８ｄ、２８ｅ及び２８ｆが閉鎖されるときの、素子２４ａ、２４ｂ、２４ｃ、２４ｄ、２４ｅ、及び２４ｆの有効部分の長さでできたアンテナ配置２０の形状は、素子６ａ、６ｂ、６ｃ、６ｄ、６ｅ及び６ｆの長さでできた図２の対数周期アンテナ配置２の形状と一致する。よって、スイッチ２８と２９がこの形態のときには、素子２４からの無線信号は、矢印３４で表示される方向にほぼ送信軸に沿って放射されている。この形態においてはスイッチ２８ａ、２８ｂ及び２８ｃが開放されているため、スイッチ２９ａ、２９ｂ及び２９ｃが開放されているか又は閉鎖されているかは関係ない。
【００４３】
アンテナ配置２０が、スイッチ２８ａ、２８ｂ及び２８ｃが閉鎖され、スイッチ２９ａ、２９ｂ、２９ｃ、２８ｄ、２８ｅ及び２８ｆが開放されている第２の形態に切り替えられると、素子２４ａ、２４ｂ、２４ｃ、２４ｄ、２４ｅ、及び２４ｆの有効部分の長さでできたアンテナ配置２０の形状は、素子６ａ、６ｂ、６ｃ、６ｄ、６ｅ及び６ｆの長さでできた図２の対数周期アンテナ配置２の反対の形状と一致する。よって、スイッチ２８と２９がこの形態のときには、素子２４からの無線信号は、矢印３４で表示されるのとは反対方向の、矢印３６で表示される方向にほぼ送信軸に沿って放射される。この形態においてはスイッチ２８ｄ、２８ｅ及び２８ｆが開放されているため、２９ｄ、２９ｅ及び２９ｆが開放されているか又は閉鎖されているかは関係ない。
【００４４】
放射素子２４間の位相差を発生させるスイッチ３８及び４０の操作は、図３を参照に上に説明した通りである。
【００４５】
アンテナ配置２０には、第３の形態のモードを設けることができる。具体的には、スイッチ２８、２９はすべて閉鎖させることができ、これは、アンテナ配置２０全体において各放射素子２４の有効長が同じであることを意味する。
【００４６】
このようにして、信号の放射方向を調節できる、超広帯域システムで使用される指向性アンテナ配置が提供される。好適な実施態様によって、どのようにしてアンテナを、素子２４のスイッチ２８の形態にしたがって、第１又は第２方向に光線を放射するように配置することができるかを説明した。当然ながら、素子２４及びスイッチ２８の構成によっては、一つの光線の二方向以上への方向付け、又は異なる相対角度を持つ２つ以上の光線のこれら示した方向への方向付けを含む、他の形態も可能である。
【００４７】
上述した実施形態は、本発明を限定するよりはむしろ図示するためのものであり、当業者が、添付の請求項の範囲から逸脱することなしに、多数の別の実施形態を設計することが可能であることに注目すべきである。「備える、含む（ｃｏｍｐｒｉｓｉｎｇ）」という用語は、請求項に記載されていない構成要素又はステップの存在を除外するものではなく、「一、一つの」という用語は複数の可能性を除外せず、単一のプロセッサ又は他のユニットによって、請求項に列挙されている幾つかのユニットの機能を満たすことが可能である。請求項における引用符号はすべて、請求項の範囲を限定するものと解釈するべきではない。
【図１】
2009543395.tif 000003
【図２】
2009543395.tif 000004
【図３】
2009543395.tif 000005
【図４】
2009543395.tif 000006
【国際調査報告】
2009543395.tif 000007
2009543395.tif 000008
2009543395.tif 000009